(57)【要約】【課題】本発明は、種々の点において、先行技術の有する前述の問題を克服して、強固に絶縁された電線とともに使用される際に信頼性の高い絶縁変位コンタクトおよびコネクタを提供することを目的とする。【解決手段】折り曲げられたＶ形状のコンタクトの絶縁変位コネクタは、強固に絶縁された電線の使用を可能とするために変更される。２本の接触刃１４，１６を分離するスロット２０は、全長にわたり一定の幅を有している。スロットの基部では広がった開口部を何ら有さないため接触はスロットの基部で最も強固になっている。ハウジングは、コンタクトとキャビティ４２との間で横方向とねじり方向にわずかな間隙を与えるために修正されており、コンタクトはハウジングに保持されている。【選択図】図１（ａ）
2006086135.tif 000002
【特許請求の範囲】
【請求項１】
ハウジングと、複数のキャビティと、絶縁された電線との電気的な接触を受入れ確定する多数のＶ形状のコンタクトとを備え、各コンタクトが、第１の接触部と、中間部と、前記コンタクトの軸線まわりに折り曲げられた一対の平板状の接触部を有する第２の接触部とを備え、この第２の接触部の各々は、前記ハウジング内の前記複数のキャビティの一つに受入れられ、各キャビティは、ほぼＶ形状を有し、前記コンタクトの第２の接触部に一致している絶縁変位コネクタにおいて、
前記コンタクトと各キャビティとの相対寸法により、各キャビティ内において、前記接触刃の間に画定された縦方向スロットの幅よりも小さい前記接触刃の横方向移動を可能にすることを特徴とする絶縁変位コネクタ。
【請求項２】
前記キャビティは、前記縦スロットの幅の２／３よりも多くない量の前記接触刃の横方向移動を可能にする請求項１に記載の絶縁変位コネクタ。
【請求項３】
前記絶縁変位コンタクトと前記ウジングの各キャビティとの相対寸法は、各キャビティ内における前記接触刃のねじり移動を可能にする寸法である請求項１または２に記載の絶縁変位コネクタ。
【請求項４】
前記絶縁変位コンタクトが、第１の接触部と、中間部と、スロットを画定する一対の離隔した接触刃を有する第２の接触部とを備え、絶縁された電線を受入れ前記電線との電気的な接触を確定させるＶ形状の絶縁変位コンタクトであって、前記接触刃は、前記絶縁変位コンタクトの軸線のまわりに折り曲げられている、絶縁変位コンタクトにおいて、前記スロットの幅は、その長さ方向に沿ってほぼ一定であり、それにより、前記接触刃の剛性が前記スロットの基部で最大であり、前記スロットが、２本の絶縁された電線を受入れるのに十分な長さを有することを特徴とする絶縁変位コンタクトである請求項２または３に記載の絶縁変位コネクタ。
【請求項５】
前記絶縁変位コンタクトの前記第２の接触部と前記コネクタのハウジングの各キャビティとの相対寸法は、前記第２の接触部の刃の間における絶縁された電線の挿入の際、前記刃の一部が、支持されない割れた梁のように変形し且つ前記接触刃の一部分が、割れシリンダのように変形する寸法である請求項４に記載の絶縁変位コネクタ。
【発明の詳細な説明】
【技術分野】
【０００１】
本発明は、音声やデータの伝達のための絶縁変位コネクタに関する。本発明は、特に折り曲げられたコンタクトを使用するタイプの絶縁変位コネクタに関し、コンタクト内には、互いにほぼ直角に配置された２本の平板状の刃の間に絶縁貫通スロットを画定されている。
【背景技術】
【０００２】
国際公開第９２／２２９４１号（国際出願ＧＢ／００９９８）として公開され、その内容が引用によって組み込まれている本出願人の先の出願には、この一般的なタイプのコンタクトの配置が記載されている。類似したコンタクトが米国特許第５,０４４,９７９号（シーモン（Ｓｉｅｍｏｎ）社に譲渡された）に開示されている。これらの明細書に開示されたコンタクトは、コネクタのプラスチックハウジングによって横方向とねじり方向の双方に対し支持されている。横方向の支持は、電線挿入の接触刃を押し広げ、ねじり方向の支持はねじれを阻止している。この支持のために、コンタクトは終端点よりも電線挿入点においてより強固になっている。このコンタクトのタイプの説明は、英国公開特許第１３６１１２７号（アイエスイー（ＩＳＥ））に開示されている。この開示内容では２つの分離した刃が互いに直角に配置され、刃のホルダ内に保持されている。刃は、新しい刃が電線に当たるのを防ぐために取り除かれ、再び配置されるように意図されており、プラスチックハウジング内に取り付けられるように設計されていないので、その基部を除いて、刃を支持する機構はない。これは、例えば米国特許第３,６１１,２６４号（エリス（Ｅｌｌｉｓ））に開示されているような双方の刃が共通の平面内にある従来のアイディーシー（ＩＤＣ）コンタクトと対照的である。
【０００３】
国際出願／ＧＢ９２／００９９８号や米国特許第５,０４４,９７９号に記載されているコンタクトは、割りシリンダを真似ることにより機能する。電線を挿入すると、刃は、開放端に正確にしっかり保持されるにしたがって、外側に曲がる。その結果、コンタクトは、２本またはそれ以上の電線を保持することができ、エリスや他の明細書に記載された平板タイプのコンタクトの欠点を克服する。
国際出願／ＧＢ９２／００９９８や米国特許第５,０４４,９７９号に記載されたタイプのコンタクトは、強固な絶縁を有する電線とともに満足的に機能しないことが判明した。コンタクトの機械的な配置は、そのような電線の導体を正しく接触させる上で困難性を有している。
【０００４】
コネクタ本体によって先行技術のコンタクトに加えられる機械的な拘束のため、電線が挿入される際に、電線挿入点における２本の平刃の間に画定される絶縁除去スロットは実際上全く動かない。電線が挿入点より下方に動いたときだけ意味のあるコンタクトの撓みが生じる。
もし電線が特に高い絶縁性を有し、挿入点において不十分又は不適切に貫通されている場合は、スロット内に電線がさらに下方に動くことにともない、コンタクトがたわむにつれて、電線とコンタクトとの間の接続は悪化する。これは断続的な又は永久的な回路断線の原因となる。
【発明の開示】
【発明が解決しようとする課題】
【０００５】
本発明は、種々の点において、先行技術の有する前述の問題を克服して、強固に絶縁された電線とともに使用される際に信頼性の高い絶縁変位コンタクトおよびコネクタを提供することを目的とする。
【課題を解決するための手段】
【０００６】
本発明は、コンタクトがハウジング内でねじれ動作に対して支持されるが、若干の横方向の動きは許容される絶縁変位コネクタである点に、本質を有している。
より詳細には、絶縁された電線との電気的な接触を受入れ、確定させるＶ形状の絶縁変位コンタクトであって、第１の接触部と、中間の接触部および第２の接触部を備え、前記第２の接触部が、離隔して配置され、その間でスロットを画定する一対の接触刃を有し、前記接触刃が、コンタクトの軸線まわりに折り曲げられた絶縁変位コンタクトにおいて、前記スロットの幅が、その長さに沿ってほぼ一定であり、それによって、前記接触刃の剛性は前記スロットの基部で最大となり、前記スロットが２本の絶縁された電線を受けるのに十分な長さを有することを特徴とする絶縁変位コンタクトを提供するものである。
【０００７】
本発明を具体化したコンタクトは、スロットの頂部において電線から押しのけられた絶縁が、電線が終端点で停止しているときに、電線とスロットの壁との間で、徐々に戻ることがないという利点を有している。コンタクトは、強固な絶縁を有する電線とともに使用するのに適している。
【０００８】
本発明はまた、ハウジングと、複数のキャビティと、絶縁された電線との電気的な接触を受入れ、確定する多数のＶ形状のコンタクトとを備え、各コンタクトが、第１の接触部と、中間の接触部と、前記コンタクトの軸線まわりに折り曲げられた一対の平板状の接触部を有する第２の接触部を備え、前記第２の接触部の各々が、前記ハウジング内の前記複数のキャビティの一つに受入れられ、各キャビティが、ほぼＶ形状を有し、コンタクトの前記第２の部分に対応した絶縁変位コネクタにおいて、前記コンタクトおよび各キャビティの相対的な寸法が、各キャビティ内における前記接触刃の横方向の移動量を、接触刃の間に画定された縦スロットの幅より小さくすることを可能にすることを特徴とする絶縁変位コネクタを提供するものである。
【発明を実施するための最良の形態】
【０００９】
実施例を通して添付図面に関して発明の具体例について述べていく。
図に示される全体としてＶ形状の絶縁変位コンタクトとハウジングの概略的な形状は周知であり、例えば、上述の国際出願／ＧＢ９２／００９９８号において、詳細に述べられている。この特許の開示にしたがって作られたコンタクトは、米国のマサチューセッツ州ハーバードのモッドタップ．ダブリュ社（Ｍｏｄ−Ｔａｐ Ｗ）と、英国のサザンプトンのモッドタップ社（Ｍｏｄ−Ｔａｐ Ｌｉｍｉｔｅｄ）から入手可能である。
【００１０】
図１のコンタクト１０は、プリント回路基板（ＰＣＢ）に取り付けられるもので、一方の端部では尾部１２の形状の第１の接触部を有する。コンタクトの他端は、絶縁変位部を備え、中央部または中間部から延び、互いに離間してスロット２０を形成する平刃すなわち歯１４，１６を有する第２の接触部を備えている。図１（ｃ）から最もよく示されているように、２本の平刃１４，１６はコンタクトの中心長手軸線２２まわりに折り曲げられ、軸線はスロット２０を二分している。スロット２０は、第２の接触部の口部２１から始まり、全長にわたりほぼ一定の幅を有している。それは少なくとも二本の絶縁された電線を受入れるのに十分な長さを有している。二本の平板状のコンタクトの内角α（図１（ｃ））はおよそ９０°である。実際には、角度は異なっていてもよい。このように、絶縁変位コンタクトは、Ｖ形に折り曲げられたコンタクトとして知られた一般的なタイプのものである。平刃の自由端は、それぞれ端部の外側に耳部２４，２６を備え、この耳部２４，２６はコネクタ本体（図２）の接触歯４０に受入れられる。耳部２４，２６は、平刃の縁２３，３０を超えて、横方向に延びている。コンタクトの中間部１８は係り部３２，３４を備え、この係り部３２，３４は、コネクタにコンタクトが挿入されると、コンタクトを正しい位置に確保するためコネクタの壁に固定される。プリント基板のコンタクトとして示されているが、コンタクトは、尾部１２に代えて、第２の絶縁変位コンタクトを有するものとして設計してもよい。これは国際出願／ＧＢ９２／００９９８号に例示された平板状のコンタクトあるいは「Ｖ」コンタクトなどの他の形のものである。
【００１１】
コンタクトは、スロット２０が広がった開口部内へ広がることなしにコンタクト１８の中間で終わっている点で、先行技術であるＶ形状に折り曲げられたコンタクトと異なっている。図１に示されるように、スロットの幅はその長さ方向に沿ってスロットの基部まで一定である。スロット部は、刃の傾斜した端部が合わさる口部２１から始まるように画定されている。先行技術と対比して、図１のコンタクトは、スロットの基部で最も堅く、電線挿入点で堅さが最少となる。これにより、電線が最終位置で停止したときに、スロットの頂部において、電線から押しのけられた絶縁が、電線とスロットの壁との間で、徐々に戻ることがないように保証されている。
【００１２】
図２を参照すると、Ｖ形状のコネクタのための先行技術のハウジングは、ねじり方向の刃１４，１６と横方向及びねじり方向の耳部２４，２６とからなるコンタクトのＶ形状の部分を支持している。この支持は、各コンタクトをコネクタ本体に設けられた各キャビティ内にきちんと嵌め込むことによって得られ、本体にコンタクトを組み付けるのを可能とする一方、絶対的に最小の寸法を可能にしている。図２において、コンタクトのための個々の空間が接触本体４４内の４２で示されている。本発明の実施態様におけるハウジングのキャビティ４２は、コンタクトの刃とコネクタハウジング４４内のキャビティ４２を受入れるコンタクトの壁との間に横方向の間隙を与えるように設計される。
【００１３】
代表的なコンタクトでは、幅0.3ミリメートルの絶縁除去スロット２０を有するコンタクトの各接触刃における間隙は、およそ0.2ミリメートルであり、最大直径0.6ミリメートルの電線を受入れるように設計されている。したがって、たとえ電線およびコンタクトのいずれもが、電線挿入中に降伏しなくても、各接触アームはおよそ０.１１ミリメートル変位するので、コンタクトの横方向のエッジとコンタクトを受入れるコネクタ内のキャビティとの間の間隙が常に確保される。接触アームの変位量は、コネクタ本体の中心軸線に対し４５°に配置された刃につき、スロットと電線の直径の寸法の差の半分の平方根として計算される。
【００１４】
接触アームの変位量または横方向の移動量がスロットの幅より小さいことがわかるであろう。図示された例では、それはスロットの幅の３分の２である。
【００１５】
図２に示されたハウジングにおいて、コンタクトのねじり方向の支持も同様にコンタクトの材料の厚さとコネクタ本体４４の受入れキャビティ４２との間の間隙を増加させることにより低下する。厚さ0.5ミリメートルのコンタクトでは、0.6ミリメートルの幅のキャビティが与えられる。直径0.4ミリメートルの電線に対しては、スロットの頂部近傍の電線のために、何のねじり方向の支持もコンタクトには与えられないが、より大きな直径の電線には、この電線がコンタクトの内のスロットの頂部に近い場合にだけ、接触刃上のキャビティの壁間の干渉によって、小さなねじり方向の抑制力が与えられ、この抑制力はスロットの電線挿入点においてのみ与えられる。
【００１６】
ハウジングのキャビティ内のコンタクトの横方向とねじり方向の間隙は、コンタクトとキャビティの壁との間の横方向の間隙δとねじり方向の間隙γを概略的に示している図３から認識することができる。
【００１７】
前述の修正されたコンタクトとハウジングは、もはや電線挿入時に外方向に曲がる割りシリンダには何ら作用しない。動作は、単純な支持されていない割れた梁と割りシリンダタイプのコンタクトの曲げ動作との間の混合である。コンタクトに挿入され、刃の間のスロットの底近くで停止する一つの電線に対して、その動作は単純な割れた梁の動作となる。第２の電線が挿入されたとき、それは、スロットの頂部の付近で停止し、コネクタ本体によって与えられるねじり方向の支持が電線の導体との十分な接触を保証する。従って、スロットは少なくとも二本の電線を受入れるのに十分な長さを有し、例えば、英国公開特許第１３６１１２７号などの先行技術のコネクタに比して、両者の間に良好な電気的接触を維持できることがわかる。
【００１８】
電線の直径がスロットの幅に近い場合は、スロットは平行のままで、焼きなました銅線は十分に変形するので、双方の電線の連続性が保証される。
前述のコンタクトとコネクタは、強固に絶縁された電線とともに使用するのに好適であるという利点を有している。それらは、一本の電線のみがそれぞれのコンタクトに挿入されるときは、プラスチックのコネクタハウジングによって何の残留ねじり応力または他の力が発生しないという利点をさらに有している。これらの応力がもし存在すると、これらの応力は長期の間にコネクタハウジングを変形させる傾向がある。たとえ二本の電線がコンタクトに挿入された場合でも、コネクタ本体によって生じる応力は先行技術の装置に比べて十分少ない。
【図面の簡単な説明】
【００１９】
【図１（ａ）】発明を具体化するコンタクトの平面を表している。
【図１（ｂ）】図１（ａ）のコンタクトの側面図である。
【図１（ｃ）】図１（ａ）のコンタクトの上面図である。
【図２（ａ）】コンタクトを支えるキャビティを表すハウジングの部分的な下面図である。
【図２（ｂ）】ハウジングの側面図である。
【図２（ｃ）】ハウジングの上面図である。
【図３】ハウジングのキャビティに受入れられるコンタクトを概略的に示す。
【図１（ａ）】
2006086135.tif 000003
【図１（ｂ）】
2006086135.tif 000004
【図１（ｃ）】
2006086135.tif 000005
【図２（ａ）】
2006086135.tif 000006
【図２（ｂ）】
2006086135.tif 000007
【図２（ｃ）】
2006086135.tif 000008
【図３】
2006086135.tif 000009